(57)【要約】  空気調和機（１）は、筐体（２）と、風向変更装置（１０）とを備えている。筐体（２）は、吸込口（７）と、吹出口（９）と、外側風路壁（１５ｂ）と、内側風路壁（１５ａ）とを有する。風向変更装置（１０）は、上下回転軸（４１ａ）と、風向板（４０）とを含む。風向板（４０）は、上下回転軸（４１ａ）から、外側風路壁（１５ｂ）に向かって延びている。風向板（４０）は、外側風路壁（１５ｂ）に対向し、かつ第１の円弧形状を有する外側風路壁側端部（４２ｃ）を含む。
2017187570.tif 000002
【特許請求の範囲】
【請求項１】
吸込口と、第１の辺および前記第１の辺に沿いかつ前記第１の辺よりも前記吸込口の近くに位置する第２の辺を有する吹出口と、前記吹出口の第１の辺につながれた第１の流路壁と、前記吹出口の前記第２の辺につながれた第２の流路壁とを有する筐体と、
前記筐体の前記第１の流路壁と前記第２の流路壁との間に配置された風向変更装置とを備え、
前記風向変更装置は、前記第２の辺に沿う方向に延びる軸と、前記軸に接続されており、かつ前記軸を中心に回転する風向板とを含み、
前記風向板は、前記軸から前記第１の流路壁に向かって延びており、
前記風向板は、前記第１の流路壁に対向し、かつ第１の円弧形状を有する第１の端部を含む、空気調和機。
【請求項２】
前記軸の中心は、前記第１の端部の前記第１の円弧形状の曲率中心と一致する、請求項１に記載の空気調和機。
【請求項３】
前記風向板は、前記吹出口から気流を上下方向に分ける上下風向板と、前記上下風向板上に配置され、かつ前記吹出口から気流を左右方向に分ける左右風向板とを含み、
前記左右風向板は、前記上下風向板と反対側に前記第１の端部を有する、請求項１または２に記載の空気調和機。
【請求項４】
前記風向板は、前記吹出口から気流を上下方向に分ける上下風向板と、前記吹出口から気流を左右方向に分ける左右風向板とを含み、
前記上下風向板は、前記左右風向板を挟む第１の上下風向板および第２の上下風向板を含み、
前記第１の上下風向板は、前記左右風向板と前記第１の流路壁との間に配置されており、
前記第２の上下風向板は、前記左右風向板と前記第２の流路壁との間に配置されており、
前記第１の上下風向板は、前記左右風向板と反対側に前記第１の端部を有する、請求項１または２に記載の空気調和機。
【請求項５】
前記上下風向板は、外壁部と、外壁部に取り囲まれた内部空間とを有する中空部材で構成されている、請求項３または４に記載の空気調和機。
【請求項６】
前記第１の流路壁は、前記軸を中心とした曲率円に沿って凹む第２の円弧形状を有し、
前記第２の円弧形状は、前記第１の円弧形状と同心に配置されている、請求項１〜５のいずれか１項に記載の空気調和機。
【請求項７】
前記風向板は、前記軸から前記第２の流路壁に向かって延びており、
前記風向板は、前記第２の流路壁に対向し、かつ第３の円弧形状を有する第２の端部を含む、請求項１〜６のいずれか１項に記載の空気調和機。
【請求項８】
前記第２の流路壁は、前記風向変更装置と反対側に凹む第１の溝部を有する、請求項１〜７のいずれか１項に記載の空気調和機。
【請求項９】
前記風向板は、前記第２の端部と反対側に凹む第２の溝部を有する、請求項１〜８のいずれか１項に記載の空気調和機。
【発明の詳細な説明】
【技術分野】
【０００１】
本発明は、空気調和機に関するものである。
【背景技術】
【０００２】
従来、空気調和機の一例として、天井埋込形の空気調和機が用いられている。天井埋込形の空気調和機においては、前面パネルの辺縁に沿って吹出口が設けられている。その吹出口には上下風向板が設置されている。この上下風向板により、前面パネルの辺縁に直交方向に調温調湿された空気が吹き出される。しかしながら、前面パネルの辺縁に沿って設けられた吹出口の左右方向においては空気が吹き出されないため、対象空間で温度ムラが生じて、快適性が損なわれる可能性がある。【０００３】
これに関連し、従来の天井埋込形の空気調和機としては、例えば、特開２００１−２８０６８４号公報（特許文献１）に開示されたものがある。この空気調和機においては、吹出口に設置された上下風向板の上に左右風向板が設置されている。これらの上下風向板と左右風向板とにより、直交方向だけでなく左右方向の空間へも空気が吹き出されることにより、温度ムラが抑制される。
【先行技術文献】
【特許文献】
【０００４】
【特許文献１】特開２００１−２８０６８４号公報
【発明の概要】
【発明が解決しようとする課題】
【０００５】
上記の公報に開示された空気調和機では、上下風向板が上下方向に回転するときに、上下風向板の上に設置された左右風向板と吹出風路壁面とが接触しないように、左右風向板の端部と吹出風路壁面との間の隙間を確保する必要がある。このため、左右風向板の端部と吹出風路壁面との間の隙間から気流が漏れるという問題がある。【０００６】
本発明は、上記の課題に鑑みてなされたものであって、その目的は、気流の漏れを抑制することができる空気調和機を提供することである。
【課題を解決するための手段】
【０００７】
本発明の空気調和機は、筐体と、風向変更装置とを備えている。筐体は、吸込口と、吹出口と、第１の流路壁と、第２の流路壁とを有する。吹出口は、第１の辺および第２の辺を有する。第２の辺は、第１の辺に沿いかつ第１の辺よりも吸込口の近くに位置する。風向変更装置は、筐体の第１の流路壁と第２の流路壁との間に配置されている。風向変更装置は、軸と、風向板とを含む。軸は、第２の辺に沿う方向に延びる。風向板は、軸に接続されており、かつ軸を中心に回転する。風向板は、軸から第１の流路壁に向かって延びている。風向板は、第１の流路壁に対向し、かつ第１の円弧形状を有する第１の端部を含む。
【発明の効果】
【０００８】
本発明の空気調和機によれば、第１の流路壁に対向する第１の端部は、第１の円弧形状を有するため、風向板が軸を中心に回転したときに、第１の流路壁と第１の端部との間の隙間を一定に維持することができる。これにより、第１の流路壁と第１の端部との間の隙間からの気流の漏れを抑制することができる。
【図面の簡単な説明】
【０００９】
【図１】本発明の実施の形態１における空気調和機が天井に据え付けられた状態を概略的に示す斜視図である。
【図２】図１のＩＩ−ＩＩ線に沿う断面図である。
【図３】本発明の実施の形態１における空気調和機の風向変更装置の周辺の構成を概略的に示す正面図である。
【図４】図２のＰ１部を拡大して示す概略図である。
【図５】本発明の実施の形態２における空気調和機の図４に対応する部分を示す概略図である。
【図６】本発明の実施の形態３における空気調和機の図４に対応する部分を示す概略図である。
【図７】本発明の実施の形態３の変形例１における空気調和機の図４に対応する部分を示す概略図である。
【図８】本発明の実施の形態３の変形例２における空気調和機の図４に対応する部分を示す概略図である。
【図９】本発明の実施の形態３の変形例３における空気調和機の図４に対応する部分を示す概略図である。
【図１０】本発明の実施の形態４における空気調和機の図４に対応する部分を示す概略図である。
【図１１】本発明の実施の形態４の変形例における空気調和機の図４に対応する部分を示す概略図である。
【図１２】本発明の実施の形態５における空気調和機の冷媒回路の構成を示す概略図である。
【発明を実施するための形態】
【００１０】
以下、本発明の実施の形態について図に基づいて説明する。なお、図中、同一符号は同一又は対応部分を示すものとする。
【００１１】
（実施の形態１）
図１〜図４を参照して、本発明の実施の形態１における空気調和機１の構成について説明する。本実施の形態１の空気調和機１は、いわゆるパッケージエアコンの室内機である。本実施の形態１の空気調和機１は、いわゆる天井埋込形の空気調和機の室内機である。
【００１２】
図１は、本実施の形態１の空気調和機１が天井５に据え付けられた状態を下方から示した図である。図２は、本実施の形態１の空気調和機１の内部構造を側方から示した図である。図２は、空気調和機１のケース３の大部分が、部屋の天井５の裏側（部屋と逆側）に埋設され、ケース３の下部が部屋の室内に面した状態を示している。なお、図２では、見やすくするため、断面に斜線が付されていない。図３は、本実施の形態１の風向変更装置１０の周辺の内部構造を正面から示した図である。図４は、本実施の形態１の空気調和機の１つの吹出口９の周辺の縦断面を示した図である。なお、図４では、天井５を除いて、断面に斜線が付されていない。この点は、図５〜図１１も同様である。
【００１３】
図１および図２を参照して、本実施の形態の空気調和機１は、筐体２と、風向変更装置１０と、遠心ファン１７と、熱交換器１９と、フィルタ２３と、ファンモータ２５と、ベルマウス２７とを主に備えている。筐体２は、ケース３と、パネル２１とを有している。筐体２は、少なくとも１つの吸込口７および少なくとも１つの吹出口９を有している。少なくとも１つの吸込口７および少なくとも１つの吹出口９は、筐体２の下部に設けられている。本実施の形態の空気調和機１は、一例として、筐体２の下部に、１つの吸込口７と、４つの吹出口９とを有している。吹出口９はそれぞれ平面視矩形に構成されている。吹出口９は、第１の辺９ａおよび第２の辺９ｂを有している。第１の辺９ａは、吸込口７の一辺に沿っている。第２の辺９ｂは第１の辺９ａに沿っている。第２の辺９ｂは第１の辺９ａに平行に配置されている。第２の辺９ｂは第１の辺９ａよりも吸込口７の近くに位置する。
【００１４】
さらに、ケース３は、吹出口９を出口とする吹出風路１４を画定する壁部１５を有している。吹出口９には、風向変更装置１０が配置されている。風向変更装置１０は、吹出口９から気流を上下方向に吹き分ける上下風向板４１と、吹出口９から左右方向に吹き分ける左右風向板４２とを有している。
【００１５】
ケース３には、吸込口７からケース３内に吸込まれ吹出口９から対象空間（部屋）へと吹出される空気の流れを作る送風部としての遠心ファン１７と、そのような空気の流動路中に配置された熱交換器１９とが収容されている。
【００１６】
一例であるが、本実施の形態１では、ケース３は、平面視矩形の天板３ａと、天板３ａの４辺から下方に延びる４つの側板３ｂとを有している。換言すると、ケース３は、４つの側板３ｂからなる角筒体の上端面が天板３ａによって閉塞された箱体である。ケース３の下部には、すなわち、上記の箱体でいう開放された下端面には、パネル２１がケース３に対して着脱自在に取り付けられている。パネル２１は、意匠パネル（化粧パネル）である。
【００１７】
パネル２１の中央付近には、グリルタイプのパネル吸込口２１ｂが設けられている。パネル吸込口２１ｂの下流（上方）には、パネル吸込口２１ｂのグリル部分を通過した空気を除塵するフィルタ２３が設けられている。一例であるが、本実施の形態１では、パネル２１およびパネル吸込口２１ｂはそれぞれ平面視矩形の外縁を有している。
【００１８】
パネル２１の外縁と、パネル吸込口２１ｂの外縁との間の領域には、４つのパネル吹出口２１ａが設けられている。本実施の形態１では、パネル２１およびパネル吸込口２１ｂのそれぞれが、４辺の縁を有していることに対応し、パネル吹出口２１ａは、４つ設けられている。４つのパネル吹出口２１ａのそれぞれが、パネル２１のコーナー部を除いてパネル２１およびパネル吸込口２１ｂにおける対応する辺に沿うように配置されている。また、４つのパネル吹出口２１ａは、パネル吸込口２１ｂを包囲するように位置している。
【００１９】
本実施の形態１では、パネル吸込口２１ｂが、上述した吸込口７であり、４つのパネル吹出口２１ａが、上述した４つの吹出口９である。また、パネル吹出口２１ａ（吹出口９）および吹出風路１４は、パネル２１のコーナー部を除いてパネル２１およびパネル吸込口２１ｂにおける対応する辺に沿うように延びている。平面視において、この延長方向を長手方向とし、長手方向と直交する方向を短手方向とする。一例を示すと、図２に示すパネル吹出口２１ａ（吹出口９）および吹出風路１４においては、図２の紙面左右方向が短手方向であり、図２の紙面奥行方向が長手方向である。
【００２０】
ケース３内の中央部には、ファンモータ２５が配置されている。ファンモータ２５は、ケース３の天板３ａの下面（ケース３の内部空間側）に支持されている。遠心ファン１７は、ファンモータ２５における下向きに延びる回転軸に取り付けられている。さらに、遠心ファン１７とフィルタ２３との間には、パネル吸込口２１ｂから遠心ファン１７に向かう吸込流路を形成するベルマウス２７が設けられている。遠心ファン１７は、パネル吸込口２１ｂからケース３内に空気を吸込み、その空気をパネル吹出口２１ａから対象空間である室内へと流出させる。
【００２１】
遠心ファン１７における径方向外側には、熱交換器１９が配置されている。換言するならば、熱交換器１９は、遠心ファン１７によってケース３内に生じる空気の流動路中に配置されて、その空気と冷媒との間で熱交換を行う。
【００２２】
熱交換器１９は、水平方向に所定の間隔をあけて配置された複数のフィンと、それらフィンを貫通する伝熱管とを有している。伝熱管は、図示しない周知の室外機に接続配管によって接続されている。これにより、熱交換器１９には、冷却された冷媒または加熱された冷媒が供給される。なお、遠心ファン１７、ベルマウス２７、熱交換器１９の構成や態様は特に限定されるものではなく、本実施の形態１では周知のものが用いられている。
【００２３】
このような構成において、遠心ファン１７が回転すると室内の空気がパネル２１のパネル吸込口２１ｂ（吸込口７）に吸い込まれる。そして、フィルタ２３において除塵された空気は、ベルマウス２７によって案内されて遠心ファン１７に吸い込まれる。さらに、遠心ファン１７では、下方から上方に向かって吸い込まれた空気が、水平方向に、且つ、径方向でいう外側方向に、吹き出される。そのように吹き出された空気は、熱交換器１９を通過する際に、熱交換及び湿度調整された後、流れ方向を下方に変更して、４つのパネル吹出口２１ａ（吹出口９）のそれぞれから室内に吹き出される。
【００２４】
次に、図３および図４を参照して、パネル吹出口２１ａの周辺の構成について詳細に説明する。
【００２５】
吹出口９を出口とする吹出風路１４を画定する壁部１５は、内側風路壁１５ａと、外側風路壁１５ｂとを有している。つまり、筐体２のケース３は、内側風路壁１５ａおよび外側風路壁１５ｂを有している。本実施の形態では、外側風路壁１５ｂが第１の流路壁であり、内側風路壁１５ａが第２の流路壁である。外側風路壁１５ｂは吹出口９の第１の辺９ａにつながれている。内側風路壁１５ａは吹出口９の第２の辺９ｂにつながれている。
【００２６】
内側風路壁１５ａと、外側風路壁１５ｂとは、吹出口９を挟んで対向している。内側風路壁１５ａは壁部１５において内側に配置されており、外側風路壁１５ｂは壁部１５において外側に配置されている。具体的には、内側風路壁１５ａは熱交換器１９側に配置されている。外側風路壁１５ｂはパネル２１の辺縁側に配置されている。つまり、内側風路壁１５ａは中央に位置する吸込口７側に配置されている。外側風路壁１５ｂは内側風路壁１５ａに対して吸込口７と反対側に配置されている。
【００２７】
風向変更装置１０は、内側風路壁１５ａと、外側風路壁１５ｂとの間に配置されている。風向変更装置１０は、上下回転軸（軸）４１ａと、風向板４０とを主に有している。上下回転軸４１ａは、吹出口９の第２の辺９ｂに沿う方向に延びている。上下回転軸４１ａは、内側風路壁１５ａと、外側風路壁１５ｂとが対向する方向に対して交差する方向に延びている。つまり、上下回転軸４１ａは、吹出口９の長手方向に延在している。
【００２８】
風向板４０は、上下回転軸４１ａに接続されており、上下回転軸（軸）４１ａを中心に回転する。風向板４０は、上下回転軸４１ａから外側風路壁１５ｂに向かって延びている。風向板４０は、上下風向板４１と、左右風向板４２とを有している。上下風向板４１は、吹出口９から気流を上下方向に分けるように構成されている。左右風向板４２は上下風向板４１上に配置されている。左右風向板４２は、吹出口９から気流を左右方向（上下風向板４１の回転軸方向）に分けるように構成されている。
【００２９】
左右風向板４２は、上下風向板４１に対向する上下風向板側端部４２ｂと、外側風路壁１５ｂに対向する外側風路壁側端部（第１の端部）４２ｃとを有している。つまり、左右風向板４２は、上下風向板４１と反対側に外側風路壁側端部４２ｃを有している。
【００３０】
外側風路壁側端部４２ｃは、上下回転軸４１ａ方向から見て、外側風路壁１５ｂ側に凸となる曲線形状を有している。本実施の形態では、曲線形状は円弧形状（第１の円弧形状）である。
【００３１】
また、上下回転軸（軸）４１ａの中心は、外側風路壁側端部４２ｃの第１の円弧形状の曲率中心と一致する。したがって、上下回転軸４１ａの中心と外側風路壁側端部４２ｃの第１の円弧形状の外周端との距離は一定となる。このように、外側風路壁側端部４２ｃの曲線形状を上下回転軸４１ａを中心とする円弧形状とすることで、外側風路壁側端部４２ｃと外側風路壁１５ｂの隙間は、上下方向の風向制御範囲において上下風向板４１の駆動位置によらず、一定の距離を維持する。
【００３２】
ここで一定の距離には、完全に一定の距離だけでなく、ほぼ一定の距離も含まれる。つまり、この一定の距離には、気流の漏れの抑制について同等の効果が得られる範囲の距離が含まれる。上下回転軸４１ａ方向から見て、外側風路壁側端部４２ｃと外側風路壁１５ｂとの間の最短の隙間は、上下風向板４１と外側風路壁１５ｂとの距離の１０％以下であることが望ましい。
【００３３】
風向板４０は、少なくとも１つの上下風向板４１と、少なくとも１つの左右風向板４２とを有している。本実施の形態では、風向変更装置１０は、１つの上下風向板４１と、複数の左右風向板４２とを有している。複数の左右風向板４２は互いに平行に配置されている。
【００３４】
上下風向板４１には、上下回転軸４１ａと、風向板側板４１ｂとが接続されている。上下回転軸４１ａおよび風向板側板４１ｂは、上下風向板４１の左右方向端部に配置されている。上下回転軸４１ａは、上下風向板４１を上下方向に回転自在に支持している。風向板側板４１ｂは、上下回転軸４１ａと上下風向板４１とを接続している。上下回転軸４１ａは上下駆動用モータ４３に回転自在に接続されている。上下駆動用モータ４３はパネル２１に固定されている。上下駆動用モータ４３の駆動力により、上下回転軸４１ａが上下方向に回転することで、上下風向板４１は上下回転軸４１ａを中心に上下方向に回転する。
【００３５】
複数の左右風向板４２はそれぞれ左右回転軸４２ａを有している。左右回転軸４２ａは、左右風向板４２を左右方向に回転自在に上下風向板４１の上に支持されている。複数の左右風向板４２はそれぞれ連結板４５に接続されている。連結板４５は複数の左右風向板４２のそれぞれの後端部を貫通している。複数の左右風向板４２はそれぞれ連結板４５および駆動機構を介して左右風向板用モータ４４に接続されている。左右風向板用モータ４４は風向変更装置１０に固定されている。左右風向板用モータ４４の駆動力により、連結板４５が左右方向に移動することで、左右風向板４２は左右回転軸４２ａを中心に左右方向に回転する。なお、連結板４５は、１つで左右風向板４２をすべて駆動してもよく、また吹出口９の左右方向中央で２分割されて、それぞれで左右風向板４２を駆動してもよい。
【００３６】
次に、本実施の形態１の空気調和機１の作用効果について説明する。
本実施の形態１の空気調和機１によれば、外側風路壁（第１の流路壁）１５ｂに対向する外側風路壁側端部（第１の端部）４２ｃは、第１の円弧形状を有しているため、風向板４０が上下回転軸４１ａを中心に回転したときに、外側風路壁１５ｂと外側風路壁側端部４２ｃとの間の隙間を一定に維持することができる。これにより、外側風路壁１５ｂと外側風路壁側端部４２ｃとの間の隙間からの気流の漏れを抑制することができる。
【００３７】
本実施の形態１の空気調和機１によれば、上下回転軸（軸）４１ａの中心は、外側風路壁側端部４２ｃの第１の円弧形状の曲率中心と一致する。このため、上下回転軸４１ａの中心と外側風路壁側端部４２ｃの第１の円弧形状の外周端との距離を一定にすることができる。これにより、風向板４０が上下回転軸４１ａを中心に回転したときに、外側風路壁１５ｂと外側風路壁側端部４２ｃとの間の隙間を一定に維持することができる。
【００３８】
本実施の形態１の空気調和機１によれば、上下風向板４１上に配置された左右風向板４２は、上下風向板４１と反対側に外側風路壁側端部（第１の端部）４２ｃを有している。したがって、左右風向板４２により、上下風向板４１と外側風路壁１５ｂとの間の風路は、左右方向（上下風向板４１の回転軸方向）に仕切られる。そして、外側風路壁１５ｂと、左右風向板４２の外側風路壁側端部４２ｃとの間の隙間からの気流の漏れを抑制することができるため、左右方向への強制力の低下を抑制することができる。これにより、吹出気流の左右方向の吹き分け範囲を十分に得ることができる。そのため、対象空間の温度ムラを抑制することができる。さらに、吹出気流が直接、人に当たらないように、左右方向へ風よけが可能となるため、気流感による不快感を低減することができる。よって、快適性を向上することができる。
【００３９】
また、左右風向板４２における気流の漏れによる気流のはく離を抑制することができるため、損失の抑制により、効率の低下を抑制することができる。また、天井埋め込み形の空気調和機の場合、吹出口と吸込口が隣接しているため、冷房運転時に吸込口に向かう室内の高温多湿の空気が、吹出口で冷やされ結露を発生しやすいが、気流のはく離の抑制により、はく離によって生じる渦に室内の高温多湿の空気が巻き込まれて結露することを抑制することができる。
【００４０】
（実施の形態２）
次に、図５を参照して、本発明の実施の形態２の空気調和機について説明する。なお、本実施の形態２は、以下に説明または限定する部分を除いては、上述した実施の形態１と同様であるものとする。図５は、本実施の形態１に関する、図４と同態様の図である。
【００４１】
本実施の形態２においては、外側風路壁１５ｂは、外側風路壁１５ｂと左右風向板４２とが対向する位置において、外側風路壁１５ｂが風路側に凹面となる外側風路壁曲面１５ｃを有している。つまり、外側風路壁曲面（第１の流路壁）１５ｃは、上下回転軸４１ａを中心とした曲率円に沿って凹む円弧形状（第２の円弧形状）を有している。
【００４２】
外側風路壁曲面１５ｃは、左右風向板４２の外側風路壁側端部４２ｃの円弧と同心となる円筒面である。つまり、外側風路壁曲面１５ｃの円弧形状（第２の円弧形状）は、外側風路壁側端部４２ｃの円弧形状（第１の円弧形状）と同心に配置されている。ここで、同心には、完全な同心だけでなく、ほぼ同心も含まれる。つまり、この同心には、気流の漏れの抑制について同等の効果が得られる隙間を構成する範囲の同心が含まれる。
【００４３】
本実施の形態２の空気調和機１によれば、外側風路壁曲面（第１の流路壁）１５ｃは、上下回転軸４１ａを中心とした曲率円に沿って凹む円弧形状（第２の円弧形状）を有しており、外側風路壁曲面１５ｃの円弧形状（第２の円弧形状）は、外側風路壁側端部４２ｃの円弧形状（第１の円弧形状）と同心に配置されている。このため、外側風路壁側端部４２ｃと外側風路壁側端部４２ｃとの間の隙間を一定に維持することができる。したがって、外側風路壁１５ｂと外側風路壁側端部４２ｃとの間の隙間を一定に維持する範囲を拡大することができる。これにより、さらに効果的に気流の漏れを抑制することができる。
【００４４】
（実施の形態３）
次に、図６〜図９を参照して、本発明の実施の形態３について説明する。なお、本実施の形態３は、以下に説明または限定する部分を除いては、上述した実施の形態１または２と同様であるものとする。図６〜図９は、本実施の形態１に関する、図４と同態様の図である。
【００４５】
図６を参照して、本実施の形態３においては、風向板４０は、上下回転軸４１ａから内側風路壁（第２の流路壁）１５ａに向かって延びている。風向板４０は、内側風路壁（第２の流路壁）１５ａに対向する内側風路壁側面（第２の端部）４１ｃを有している。内側風路壁側面（第２の端部）４１ｃは円弧形状（第３の円弧形状）を有している。
【００４６】
具体的には、上下風向板４１の少なくとも一部は、常に所定の間隔を空けて内側風路壁１５ａに近接している。上下風向板４１の内側風路壁側面４１ｃは、上下回転軸４１ａ方向から見て、内側風路壁１５ａに向かって凸となる曲面を有している。この曲面は上下回転軸４１ａを中心とした円筒面である。これにより、この曲面は上下風向板４１の向きによらず、少なくとも一部が常に所定の間隔を空けて内側風路壁１５ａに近接している。
【００４７】
上下風向板４１に対向する内側風路壁１５ａは、上下風向板４１の内側風路壁側面４１ｃ側の円筒面と同心となる円筒面であることが望ましい。上下風向板４１の吹出風路側の面４１ｈは、平面または風路側に凹となる曲面である。上下風向板４１が外側風路壁と最近接するまで上下回転すると、吹出口９が全閉される。
【００４８】
続いて、図７を参照して、本実施の形態３の変形例１について説明する。本実施の形態３の変形例１のように、上下風向板４１は、所定の厚みを有する中空部材で構成されてもよい。つまり、上下風向板４１は、外壁部４１ｋと、外壁部４１ｋに取り囲まれた内部空間とを有する中空部材で構成されている。
【００４９】
また、図８および図９を参照して、上下風向板４１と内側風路壁１５ａとは、対向する面において、少なくとも一方に上下回転軸４１ａ方向に延びる溝部４１ｉを有していてもよい。溝部４１ｉは複数設けられていてもよい。溝部４１ｉを設けることで、上下風向板４１と内側風路壁１５ａとの間を通過しようとする気流の乱流促進が可能となるため、抵抗増加によって隙間を通過する気流を低減することができる。
【００５０】
図８に示すように、本実施の形態の変形例２では、内側風路壁（第２の流路壁）１５ａは、風向変更装置１０と反対側に凹む溝部（第１の溝部）４１ｉ１を有している。
【００５１】
また、図９に示すように、本実施の形態の変形例３では、風向板４０の上下風向板４１は、内側風路壁（第２の流路壁）１５ａと反対側に凹む溝部（第２の溝部）４１ｉ２を有している。内側風路壁１５ａと上下風向板４１との両方に溝部４１ｉが設けられることで、ラビリンス構造となり、さらに乱流促進が可能となる。
【００５２】
本実施の形態３の空気調和機１によれば、内側風路壁（第２の流路壁）１５ａに対向する内側風路壁側面（第２の端部）４１ｃは円弧形状（第３の円弧形状）を有しているため、風向板４０が上下回転軸４１ａを中心に回転したときに、内側風路壁１５ａと内側風路壁側面４１ｃとの間の隙間を一定に維持することができる。これにより、内側風路壁１５ａと内側風路壁側面４１ｃとの間の隙間からの気流の漏れを抑制することができる。
【００５３】
したがって、吹出気流の大部分は上下風向板４１と外側風路壁１５ｂとの間を通過する。すなわち、吹出気流の大部分が左右風向板４２の間を通過する。このため、左右方向への強制力を向上させることができる。よって、左右方向の吹き分け範囲の拡大が可能となるため、対象空間の温度ムラの抑制と風よけとが可能となる。さらに、運転停止時に上下風向板４１で吹出口９を全閉できるため、見栄えが良くなる。
【００５４】
また、本実施の形態３の変形例１の空気調和機１によれば、上下風向板４１は中空部材で構成されている。したがって、上下風向板４１の表裏が内部空間の空気で断熱されるため、冷房運転時に上下風向板４１が冷気で冷やされても、吹出風路１４と反対側の面に冷気が伝わりにくくなる。このため、室内の高温多湿の空気が接することで生じる結露を抑制することができる。
【００５５】
また、本実施の形態３の変形例２の空気調和機１によれば、内側風路壁（第２の流路壁）１５ａは溝部４１ｉ１（第１の溝部）を有しているため、溝部４１ｉ１により上下風向板４１と内側風路壁１５ａとの間を通過しようとする気流の乱流促進が可能となる。このため、抵抗増加によって、上下風向板４１と内側風路壁１５ａとの間の隙間を通過する気流を低減することができる。
【００５６】
また、本実施の形態３の変形例３の空気調和機１によれば、上下風向板４１は内側風路壁（第２の流路壁）１５ａと反対側に凹む溝部（第２の溝部）４１ｉ２を有しているため、溝部４１ｉ２により上下風向板４１と内側風路壁１５ａとの間を通過しようとする気流の乱流促進が可能となる。このため、抵抗増加によって、上下風向板４１と内側風路壁１５ａとの間の隙間を通過する気流を低減することができる。また、上下風向板４１の表面に結露が生じた場合に、溝部４１ｉ２で水滴が保持されるため、結露による水滴の滴下を防止できる。
【００５７】
（実施の形態４）
次に、図１０および図１１を参照して、本発明の実施の形態４について説明する。なお、本実施の形態４は、以下に説明または限定する部分を除いては、上述した実施の形態１〜３と同様であるものとする。図１０および図１１は、本実施の形態１に関する、図４と同態様の図である。
【００５８】
図１０を参照して、本実施の形態４においては、上下風向板４１は、第１の上下風向板４１ｅおよび第２の上下風向板４１ｄを含んでいる。第１の上下風向板４１ｅおよび第２の上下風向板４１ｄは左右風向板４２を挟んでいる。第１の上下風向板４１ｅおよび第２の上下風向板４１ｄは対向して配置されている。
【００５９】
第１の上下風向板４１ｅは、左右風向板４２と外側風路壁（第１の流路壁）１５ｂとの間に配置されている。第２の上下風向板４１ｄは、左右風向板４２と内側風路壁（第２の流路壁）１５ａとの間に配置されている。第１の上下風向板４１ｅは、左右風向板４２と反対側に外側風路壁側端部（第１の端部）４２ｃを有している。
【００６０】
第１の上下風向板４１ｅは、短手方向の長さが第２の上下風向板４１ｄより短い。第１の上下風向板４１ｅは、第２の上下風向板４１ｄと風向板側板４１ｂ（図３参照）で一体に固定され、第２の上下風向板４１ｄと合わせて回転駆動する。
【００６１】
第１の上下風向板４１ｅは、外側風路壁側面４１ｆが外側風路壁曲面１５ｃに向かって凸となる曲面を有している。この曲面を上下回転軸４１ａを中心とした円筒面とし、上下風向板４１の向きによらず、少なくとも一部が常に所定の間隔を空けて外側風路壁曲面１５ｃに近接する。第１の上下風向板４１ｅに対向する外側風路壁曲面１５ｃは、第１の上下風向板４１ｅの外側風路壁側の円筒面と同心となる円筒面であることが望ましい。第１の上下風向板４１ｅの吹出風路側の面４１ｊは、平面または吹出風路側に凸となる曲面である。
【００６２】
第１の上下風向板４１ｅの上流から下流までの長さ（短手方向の長さ）は、第２の上下風向板４１ｄの上流から下流までの長さより短くする。上下方向の吹出し方向を上方向の設定にする場合に、第１の上下風向板４１ｅが吹出風路内に出っ張ることによる風路の縮小を防止することができる。上下回転軸４１ａは、第２の上下風向板４１ｄの円筒面の中心と第１の上下風向板４１ｅの円筒面の中心に配置されている。
【００６３】
図１１を参照して、本実施の形態の変形例においては、第１の上下風向板４１ｅと第２の上下風向板４１ｄとの間に、補助上下風向板４１ｇが設置されている。補助上下風向板４１ｇは、第１の上下風向板４１ｅまたは第２の上下風向板４１ｄと平行に設置され、風向板側板４１ｂ（図３参照）に固定されている。補助上下風向板４１ｇの下流端は、上下回転軸４１ａとの距離が、第２の上下風向板４１ｄの外側風路壁と接する円筒面の半径Ｒｏ以下となることが望ましい。半径Ｒｏ以下とすることで上下駆動時に補助上下風向板４１ｇが外側風路壁に接触することがなく、停止時には第２の上下風向板４１ｄを外側風路壁まで稼働可能となり、吹出口９に隙間がなくなるため意匠性が向上する。
【００６４】
左右風向板４２は、第１の上下風向板４１ｅと第２の上下風向板４１ｄとの間に設けられ、左右方向に回転自在にする左右回転軸でそれぞれに固定される。第１の上下風向板４１ｅと第２の上下風向板４１ｄは、風向板側板４１ｂ（図３参照）で固定され、上下風向板４１の角度によらず常に一定の距離が維持される。このため、第１の上下風向板４１ｅと左右風向板４２の端部が対向する長さを大きくとることができ、常に左右風向板４２で仕切ることが可能となる。
【００６５】
吹出口からの吹出される気流を天井面に張り付けない上下風向設定において、第１の上下風向板４１ｅの吹出風路側の面４１ｊの下流端における接線と天井面がなす角度は３０°以上とすることが好ましい。これにより、吹出気流が天井に張り付かないことで、スマッジングによる天井面の汚れを防止できる。
【００６６】
本実施の形態４によれば、第１の上下風向板４１ｅと第２の上下風向板４１ｄとに挟まれた左右風向板４２を通過する。このため、左右方向への強制力を向上することができ、左右方向の吹分範囲の拡大が可能となり、対象空間の温度ムラを低減できる。
【００６７】
（実施の形態５）
図１２は本発明の実施の形態５の空気調和装置の構成図である。本実施の形態５では、上述した空気調和機１（室内機２００）を備えた空気調和装置について説明する。空気調和装置は、室外機１００と室内機２００とを備え、これらが冷媒配管で連結され、冷媒回路を構成して冷媒を循環させている。冷媒配管のうち、気体の冷媒（ガス冷媒）が流れる配管をガス配管３００とし、液体の冷媒（液冷媒。気液二相冷媒の場合もある）が流れる配管を液配管４００とする。
【００６８】
室外機１００は、本実施の形態においては、圧縮機１０１、四方弁１０２、室外側熱交換器１０３、室外側送風機１０４、絞り装置（膨張弁）１０５で構成されている。
【００６９】
圧縮機１０１は、吸入した冷媒を圧縮して吐出する。ここで、圧縮機１０１は、インバータ装置等を備え、運転周波数を任意に変化させることにより、圧縮機１０１の容量（単位時間あたりの冷媒を送り出す量）を細かく変化させることができるものとする。四方弁１０２は、制御装置（図示せず）からの指示に基づいて冷房運転時と暖房運転時とによって冷媒の流れを切り換える。
【００７０】
また、室外側熱交換器１０３は、冷媒と空気（室外の空気）との熱交換を行う。例えば、暖房運転時においては蒸発器として機能し、液配管４００から流入した低圧の冷媒と空気との熱交換を行い、冷媒を蒸発させ、気化させる。また、冷房運転時においては凝縮器として機能し、四方弁１０２側から流入した圧縮機１０１において圧縮された冷媒と空気との熱交換を行い、冷媒を凝縮して液化させる。室外側熱交換器１０３には、冷媒と空気との熱交換を効率よく行うため、ファン等を有する室外側送風機１０４が設けられている。室外側送風機１０４についても、インバータ装置によりファンモータの運転周波数を任意に変化させてファンの回転速度を細かく変化させるようにしてもよい。絞り装置１０５は、開度を変化させることで、冷媒の圧力等を調整するために設ける。
【００７１】
一方、室内機２００は、負荷側熱交換器２０１及び負荷側送風機２０２で構成されている。負荷側熱交換器２０１は冷媒と空気との熱交換を行う。例えば、暖房運転時においては凝縮器として機能し、ガス配管３００から流入した冷媒と空気との熱交換を行い、冷媒を凝縮させて液化（又は気液二相化）させ、液配管４００側に流出させる。一方、冷房運転時においては蒸発器として機能し、例えば絞り装置１０５により低圧状態にされた冷媒と空気との熱交換を行い、冷媒に空気の熱を奪わせて蒸発させて気化させ、ガス配管３００側に流出させる。また、室内機２００には、熱交換を行う空気の流れを調整するための負荷側送風機２０２が設けられている。この負荷側送風機２０２の運転速度は、例えば利用者の設定により決定される。
【００７２】
以上のように本実施の形態５の空気調和装置では、実施の形態１〜４において説明した空気調和機１を室外機１００に用いることで、実施の形態１〜４と同様の効果を実現することができる。
【００７３】
以上、好ましい実施の形態を参照して本発明の内容を具体的に説明したが、本発明の基本的技術思想及び教示に基づいて、当業者であれば、種々の改変態様を採り得ることは自明である。
【００７４】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【００７５】
１  空気調和機、２  筐体、３  ケース、５  天井、７  吸込口、９  吹出口、１０  風向変更装置、１４  吹出風路、１５  壁部、１５ａ  内側風路壁、１５ｂ  外側風路壁、１５ｃ  外側風路壁曲面、１７  遠心ファン、１９  熱交換器、２１  パネル、２１ａ  パネル吹出口、２１ｂ  パネル吸込口、４０  風向板、４１  上下風向板、４１ａ  上下回転軸、４１ｂ  風向板側板、４１ｃ  内側風路壁側面、４１ｄ  第２の上下風向板、４１ｅ  第１の上下風向板、４１ｆ  外側風路壁側面、４１ｇ  補助上下風向板、４１ｋ  外壁部、４１ｉ  溝部、４２  左右風向板、４２ａ  左右回転軸、４２ｂ  上下風向板側端部、４２ｃ  外側風路壁側端部。
【図１】
2017187570.tif 000003
【図２】
2017187570.tif 000004
【図３】
2017187570.tif 000005
【図４】
2017187570.tif 000006
【図５】
2017187570.tif 000007
【図６】
2017187570.tif 000008
【図７】
2017187570.tif 000009
【図８】
2017187570.tif 000010
【図９】
2017187570.tif 000011
【図１０】
2017187570.tif 000012
【図１１】
2017187570.tif 000013
【図１２】
2017187570.tif 000014
【国際調査報告】
2017187570.tif 000015
2017187570.tif 000016
2017187570.tif 000017
2017187570.tif 000018